(57)【要約】  ＥＭＩ、ＲＦＩまたはＥＳＤの少なくとも１つに対する保護のために電気部材（１２）を接地するための接地用ストラップ（１０）、およびその構築方法が提供される。接地用ストラップ（１０）は、両端部（１６，１８）間で長手方向に沿って延在する対向縁部（２０，２２）を備える壁（１４）を有する。壁（１４）は、複数のインターレースされたフィラメントから形成され、複数のインターレースされたフィラメントの少なくともいくつかは、互いに電気的に連通してインターレースされる複数の導電性フィラメントを含む。
2020502747.tif 000002
【特許請求の範囲】
【請求項１】
ＥＭＩ、ＲＦＩまたはＥＳＤの少なくとも１つに対して電気部材を接地するための、接地用ストラップアセンブリであって、
両端部間で長手方向に沿って延在する対向縁部を有する壁を備え、前記壁は、複数のインターレースされたフィラメントから形成され、前記複数のインターレースされたフィラメントの少なくともいくつかは、互いに電気的に連通してインターレースされる複数の導電性フィラメントを含み、前記接地用ストラップアセンブリはさらに、
前記壁を前記電気部材と電気的に連通した状態で維持するように構成される少なくとも１つの細長い固定部材を備える、接地用ストラップアセンブリ。
【請求項２】
前記複数の導電性フィラメントの少なくともいくつかは、前記長手方向に沿って延在する縦糸フィラメントであり、前記複数の導電性フィラメントの少なくともいくつかは、前記長手方向に対して横方向に延在する横糸フィラメントである、請求項１に記載の接地用ストラップアセンブリ。
【請求項３】
前記複数のインターレースされたフィラメントの少なくともいくつかは、前記長手方向に沿って延在する複数のヒートセットされたフィラメントを含み、前記ヒートセットされたフィラメントは、前記両端部を互いに重なる関係になるように付勢する、請求項２に記載の接地用ストラップアセンブリ。
【請求項４】
前記少なくとも１つの細長い固定部材は、前記壁を通って延在する複数の細長い固定部材を含み、前記複数の細長い固定部材は、前記長手方向に沿って互いから離間される、請求項１に記載の接地用ストラップアセンブリ。
【請求項５】
前記少なくとも１つの細長い固定部材を介して前記壁に連結される細長い伝導性部材をさらに含む、請求項１に記載の接地用ストラップアセンブリ。
【請求項６】
前記細長い伝導性部材は、編組される、請求項５に記載の接地用ストラップアセンブリ。
【請求項７】
ＥＭＩ、ＲＦＩまたはＥＳＤの少なくとも１つに対する保護のために複数の電気部材を接地する方法であって、
前記電気部材の各々から外側絶縁シースの一部を除去して前記電気部材の各々に露出した領域を形成することと、
前記露出した領域にわたって伝導性フィラメントのインターレースされた壁を配置して前記インターレースされた壁を前記電気部材と電気的に連通させることと、
前記インターレースされた壁を前記電気部材と電気的に連通した状態で動作可能に連結することと、を含む、方法。
【請求項８】
細長い伝導性部材を前記インターレースされた壁に連結することと、前記細長い伝導性部材を接地源に固定することとをさらに含む、請求項７に記載の方法。
【請求項９】
複数の前記電気部材を互いに束ねられた当接部で束ねることと、伝導性フィラメントの前記インターレースされた壁を当接する電気部材の前記露出した領域の周りに周方向に巻き付けて前記インターレースされた壁の両端部を互いに重なる関係にすることとを更に含む、請求項８に記載の方法。
【請求項１０】
前記両端部を互いに重なる関係に付勢するヒートセットされたフィラメントを有する前記インターレースされた壁を提供することをさらに含む、請求項９に記載の方法。
【請求項１１】
タイラップを前記インターレースされた壁の周りに固定して前記インターレースされた壁の前記両端部を互いに重なる関係に維持することをさらに含む、請求項９に記載の方法。
【請求項１２】
接地用部材を前記タイラップで前記インターレースされた壁に連結することをさらに含む、請求項１１に記載の方法。
【請求項１３】
前記インターレースされた壁を前記電気部材と電気的に連通した状態で連結することと、細長い伝導性部材を共通の固定具で前記インターレースされた壁に連結することとをさらに含む、請求項９に記載の方法。
【請求項１４】
前記共通の固定具をタイラップとして提供することをさらに含む、請求項１３に記載の方法。
【請求項１５】
互いに横方向に離間された平行な関係で延在する複数の前記電気部材を提供することと、複数の前記電気部材を伝導性フィラメントの前記インターレースされた壁と橋渡しして、複数の前記電気部材を互いに電気的に連通させて複数の前記電気部材間で共通の電位を確立することとをさらに含む、請求項７に記載の方法。
【請求項１６】
前記電気部材を互いに横方向に離間された関係で電気部材の複数の別個の束として提供することと、複数の前記束を伝導性フィラメントの前記インターレースされた壁と橋渡しして、複数の前記束を互いに電気的に連通させて複数の前記束間で共通の電位を確立することとをさらに含む、請求項１５に記載の方法。
【請求項１７】
前記電気部材の各々を別個の固定具で前記インターレースされた壁に固定することをさらに含む、請求項１５に記載の方法。
【請求項１８】
前記別個の固定具をタイラップとして提供することと、前記インターレースされた壁に前記タイラップで穴を開けることとをさらに含む、請求項１７に記載の方法。
【発明の詳細な説明】
【技術分野】
【０００１】
関連出願の相互作用
この出願は、２０１６年１２月１４日に提出された米国仮出願連続番号第６２／４３４，２２５号および２０１７年１２月１３日に提出された米国特許出願連続番号第１５／８４０，５１４号の利益を主張し、その内容全体が参照によりここに組み込まれる。
【０００２】
発明の背景
１．技術分野
この発明は、概して、導電性部材に関し、より特定的には、複数の導電性部材に互いに共通の接地電位をもたらすための接地用部材に関する。
【背景技術】
【０００３】
２．関連技術
電磁干渉（ＥＭＩ）、無線周波数干渉（ＲＦＩ）、および静電気放電（ＥＳＤ）は、すぐ近くの導電性部材間の誘導結合および伝播する電磁波によって、干渉によって生じる電子部品の適切な機能に対する潜在的な問題を引き起こすことが知られている。たとえば、列車、自動車、または他のタイプの車両を含む車両の電力システムに関連する導電性部材の電流は、様々な電子部品において誤った信号を誘導し得る。このような干渉は、車両の制御モジュールまたは他の電子部品の性能を下げ、これにより車両を所望の通りでなく作用させ得る。
【０００４】
遮蔽されたケーブルまたはワイヤなどの個々に遮蔽された伝導性部材を、接地対象となる各伝導性部材からシースとして知られる外側絶縁シールドの局所区分を除去することによって接地し、その後、別個の接地用部材を各露出した伝導性部材にはんだ付けすることが知られており、別個の接地用部材は、その後、個々に接地源に経路決めされる。列車用途などのいくつかの用途においては、接地は、伝導性部材の両端部の少なくとも各々で、好ましくは伝導性部材の長さに沿ってほぼメートル毎に行われなければならないため、別個の接地用部材を各伝導性部材にはんだ付けするという試みは、非常に労力を要し、潜在的に有害である。はんだ付けは、局所的な部分への高熱の印加を要求し、操作者への現存するリスクおよび伝導性部材への潜在的なダメージの両方がはんだ付けに要求される温度で評価され得ない。さらに、車両の寿命および使用にわたって、振動および衝撃は、はんだ接合の完全性に影響し、これにより不注意の切断の起こり得る原因を提示する。したがって、個々の接地用部材を個々の伝導性部材にはんだ付けすることは、はじめは効果的であることを示し得るが、時間がかかり、費用がかさみ、潜在的に有害であり、用途の有効寿命にわたって劣化を受ける。
【発明の概要】
【発明が解決しようとする課題】
【０００５】
本発明に関連して製造される接地用部材は、少なくとも上述の接地用の個々の電気ケーブルのついての周知な機構の制限を克服または大幅に最小化し、遮蔽された電気ケーブルおよびワイヤなどの伝導性部材を接地する容易性を向上するという所望の目的を達成し、これによりそれに関する労力および費用を大幅に低減し、とりわけ、本明細書の開示を見る際に当業者によって容易に認識されるように役立つ。
【課題を解決するための手段】
【０００６】
発明の概要
ＥＭＩ、ＲＦＩまたはＥＳＤの少なくとも１つに対する保護のために電気ケーブルを接地するための接地用ストラップが提供される。接地用ストラップは、両端部間で長手方向に沿って延在する対向縁部を備える壁を有する。壁は、複数のインターレースされたフィラメントから形成され、複数のインターレースされたフィラメントのいくつかは、互いに電気的に連通してインターレースされる複数の導電性フィラメントを含む。少なくとも１つの細長い固定部材は、壁を電気部材と電気的に連通した状態で維持するように構成される。
【０００７】
別の局面によれば、複数の導電性フィラメントの少なくともいくつかは、長手方向に沿って延在する縦糸フィラメントであり、複数の導電性フィラメントの少なくともいくつかは、長手方向に対して横方向に延在する横糸フィラメントである。
【０００８】
別の局面によれば、複数のインターレースされたフィラメントの少なくともいくつかは、長手方向に沿って延在する複数のヒートセットされたフィラメントを含み、ヒートセットされたフィラメントは、両端部を互いに重なる関係になるように付勢する。
【０００９】
別の局面によれば、少なくとも１つの細長い固定部材は、壁を通って延在する複数の細長い固定部材を含み、複数の細長い固定部材は、長手方向に沿って互いに離間される。
【００１０】
別の局面によれば、細長い接地用伝導性部材は、少なくとも１つの細長い固定部材を介して壁に連結されてもよく、細長い伝導性部材は、接地源への取付けのために構成される。
【００１１】
別の局面によれば、ＥＭＩ、ＲＦＩまたはＥＳＤの少なくとも１つに対する保護のために複数の電気部材を接地する方法が提供される。上記方法は、電気部材の各々から外側絶縁シースの一部を除去して電気部材の各々に露出した領域を形成することを含む。その後、露出した領域にわたって伝導性フィラメントのインターレースされた壁を配置してインターレースされた壁を電気部材と電気的に連通させる。さらに、インターレースされた壁を電気部材と電気的に連通した状態で動作可能に連結する。
【００１２】
別の局面によれば、上記方法は、細長い接地用伝導性部材をインターレースされた壁に連結することと、細長い伝導性接地用部材を接地源に固定することをさらに含んでもよい。
【００１３】
別の局面によれば、上記方法は、複数の電気部材を互いに束ねられた当接部で束ねることと、伝導性フィラメントのインターレースされた壁を当接する電気部材の露出した領域の周りに周方向に巻き付けてインターレースされた壁の両端部を互いに重なる関係にすることとをさらに含んでもよい。
【００１４】
別の局面によれば、上記方法は、両端部を互いに重なる関係に付勢するヒートセットされたフィラメントを有するインターレースされた壁を提供することをさらに含んでもよい。
【００１５】
別の局面によれば、上記方法は、タイラップをインターレースされた壁の周りに固定してインターレースされた壁の両端部を互いに重なる関係に維持することをさらに含んでもよい。
【００１６】
別の局面によれば、上記方法は、インターレースされた壁を電気部材と電気的に連通した状態で連結することと、細長い伝導性部材を共通の固定具でインターレースされた壁に連結することとをさらに含んでもよい。
【００１７】
別の局面によれば、上記方法は、互いに横方向に離間された平行な関係で延在する複数の電気部材を提供することと、複数の電気部材を伝導性フィラメントのインターレースされた壁と橋渡しして、複数の電気部材を互いに電気的に連通させて複数の電気部材間で共通の電位を確立することとをさらに含んでもよい。
【００１８】
別の局面によれば、上記方法は、複数の電気部材を互いに横方向に離間された関係で電気部材の複数の別個の束として提供することと、複数の束を伝導性フィラメントのインターレースされた壁と橋渡しして、複数の束を互いに電気的に連通させて複数の束間で共通の電位を確立することをさらに含んでもよい。
【００１９】
別の局面によれば、上記方法は、電気部材の別個の束の各々を別個の固定具でインターレースされた壁に固定することをさらに含んでもよい。
【００２０】
別の局面によれば、上記方法は、インターレースされた壁に固定具で穴を開けることと、固定具を電気部材の周りに締め上げて電気部材にインターレースされた壁および互いと共通のポテンシャルをもたらすこととをさらに含んでもよい。
【００２１】
これらのおよび他の特徴ならびに利点は、現在好ましい実施形態およびベストモードの以下の詳細な説明、添付の請求項、ならびに添付の図面を考慮して、当業者にとってより容易に理解されるであろう。
【図面の簡単な説明】
【００２２】
【図１Ａ】ＥＭＩ、ＲＦＩまたはＥＳＤの少なくとも１つに対して電気部材を保護するために、その周りに巻き付けられる前の、電気部材から飛び出るように示される、本開示の１つの現在好ましい実施形態にしたがって構築される接地用ストラップの斜視図である。
【図１Ｂ】図１Ａの電気部材の周りに巻き付けられている接地用ストラップを示す、図１Ａに類似する図である。
【図１Ｃ】電気部材の周りに巻き付けられる接地用ストラップを示す、図１Ｂに類似する図である。
【図１Ｄ】接地源に取り付けられるように示される、図１Ｃの接地用ストラップおよび電気部材の斜視図である。
【図１Ｅ】図１Ｄの線１Ｅ−１Ｅに概ね沿った断面図である。
【図２】接地用部材が、接地用ストラップおよびその中に含まれる電子部材から離れた接地源への接地用部材の取付けのための固定具を介してそこに連結されている、本開示の別の局面にしたがって構築される接地用ストラップを示す、図１Ｃに類似する図である。
【図３Ａ】電気部材に互いに共通の電位をもたらすために複数の電気部材を連結するように示される、本開示の別の局面にしたがって構築される接地用ストラップの上面図である。
【図３Ｂ】図３Ａの接地用ストラップおよび電気部材の底面図である。
【図３Ｃ】図３Ｂの線３Ｃ−３Ｃに概ね沿った断面図である。
【発明を実施するための形態】
【００２３】
好ましい実施形態の詳細な説明
図面をより詳細に参照すると、図１Ａ〜図１Ｅは、本開示の現在好ましい局面にしたがって構築される接地用ストラップ１０を示す。接地用ストラップ１０は、例示であって限定ではないが、ＥＭＩ、ＲＦＩまたはＥＳＤの少なくとも１つに対して保護されることとなる導電性ワイヤまたはケーブル１２として示される、複数の導電性部材の周りに巻き付けられるように構成される。接地用ストラップ１０は、両端部１６，１８間に延在する対向縁部２０，２２を備える壁１４を有する（図１Ａ）。両端部１６，１８は、周方向に取り囲まれたキャビティ２４に複数の電気ケーブル１２を束ねるために、互いに重なる関係になるように巻き付けられるように構成される。壁１４は、少なくとも部分的に、互いに電気的に連通してインターレースされる、ヤーンともよばれる、複数の導電性フィラメント（モノフィラメントおよび／またはマルチフィラメント）によって形成されるため、導電性ヤーンを接地源２６に動作可能に連結する際に、電気ケーブル１２はＥＭＩ、ＲＦＩまたはＥＳＤの少なくとも１つに対して保護される。
【００２４】
ＥＭＩ、ＲＦＩおよび／またはＥＳＤに対して電気ケーブルを最適に保護するために、各電気ケーブル１２の外側絶縁シース２８の選択部分がまず除去されて、以下、遮蔽部３０とも呼ばれる内側伝導性ワイヤ、ケーブルまたは遮蔽スクリーンを露出させ（図１Ａ）、その後、図１Ｂに示されるように、接地用ストラップ１０は、接地用ストラップ１０が各遮蔽部３０と電気的に連通されるように、露出した伝導性遮蔽部３０の周りに巻き付けられる。電気ケーブル１２をより十分に保護するために、図１Ｃに示されるように、接地用ストラップ１０の両端部１６，１８は、互いに重なる関係にされ、これにより伝導性ケーブル１２の遮蔽部３０を十分に取り囲む。その後、図１Ｄおよび図１Ｅに示されるように、所望であれば、接地用ストラップ１０は、接地源２６との電気的連通のために動作可能に取り付けられてもよく、示されるように、接地源２６に直接当接して取り付けられてもよい。示される実施形態では、タイラップ３２などの固定具が、接地用ストラップ１０およびその中に含まれる電気ケーブル１２を接地源２６に直接固定するために、およびケーブル１２のそれぞれの遮蔽部３０を互いに緊密に当接させるために用いられてもよく、これによりその間により良好な電気的連通を確立する。
【００２５】
壁１４は、編組、編み、好ましくは織りを含む任意の好適な機構を介してインターレースされ得る。これに関係なく、モノフィラメントおよび／またはマルチフィラメントを含む、用いられるヤーンの少なくともいくつかまたは全体は、その全体が参照によりここに組み込まれる、２０１２年１０月９日に発行された共通所有の米国特許第８，２８３，５６３号に開示されるような、金属コーティングされたヤーン、金属ワイヤ、および伝導性フィラメントとともに提供されるまたは撚られる非伝導性フィラメントを含むハイブリッドヤーンなどの、導電性フィラメントとして提供されてもよい。さらに、ヒートセット可能なヤーンが壁１４にインターレースされ得ることが考えられ、たとえば、織られた、編まれたまたは編組された構成で、縦糸ヤーンは一方の端部１６から反対側の端部１８まで長手方向に延在して、対向縁部１６，１８が自動的に互いに重なる関係に付勢されるように、壁１４が自己巻付き壁１４になるようにヒートセットされることを可能にする。壁１４は、ストラップとも呼ばれる平坦なテープまたは条片として構築されることが認識されるべきである。壁１４の長さ（Ｌ）は、両端部１６，１８間に延在する縦糸方向によって規定される。壁１４の幅（Ｗ）は、対向縁部２０，２２の間に延在する横糸方向によって規定される。したがって、壁１４は、連続的なインターレースプロセスで作製され得、用途に応じて、壁１４の長さは、必要に応じて、所定の長さに切断され得る。言うまでもなく、縁部２０，２２は、緩んだヤーンまたは切断端部を有しないようにインターレースプロセスで形成され、したがって望ましくないほつれがない。
【００２６】
本発明の別の局面によれば、図２に示されるように、接地用部材３４は、壁１４との電気的連通から接地源２６まで延在するように構成され得る。これは、接地源２６がケーブル１２から離れている場合に特に利益がある。接地用部材３４は、固定具３２と壁１４との間に挟まれた関係で挟持されることによるなどして、遮蔽部３０と電気的に連通されて固定され得る。接地用部材３４の自由端部３６は、接地源２６への取付けのために構成される。
【００２７】
接地用部材３４は、撚られたラウンドワイヤ、編組されたラウンドワイヤ、フラットワイヤなどの、意図された用途のために所望されるとおりのワイヤ材料として提供されてもよく、例示であって限定ではないが、スズコーティングされた銅またはニッケルコーティングされた銅材料を含んでもよく、任意の所望の直径および長さを有して提供されてもよい。接地用部材３４はタイラップ３２を介して壁１４に動作可能に取り付けられてもよく、またはそうでなければ、接地用部材３４は壁１４のヤーンとインターレースされてもよい。壁１４とインターレースされた場合、接地用部材３４は、接地源２６への取付けのために十分な所定の距離にわたって端部１８から延在可能である。
【００２８】
図３Ａ〜図３Ｃに示されるように、本開示のさらに現在好ましい局面にしたがって構築される接地用ストラップ１１０が示される。１００の係数によってずらされた、上記で用いられたのと同様の参照符合が、類似の構成を示すために用いられる。接地用ストラップ１１０は、両縁部１１６，１１８間に延在する対向縁部１２０，１２２を備える壁１１４を有する（図３Ａおよび図３Ｂ）。壁１１４は、上述されたように、少なくとも部分的に、互いに電気的に連通してインターレースされる、ヤーンとも呼ばれる、複数の導電性フィラメント（モノフィラメントおよび／またはマルチフィラメント）を有するため、導電性ヤーンを接地源１２６に動作可能に連結する際に、電気部材１２はＥＭＩ、ＲＦＩまたはＥＳＤの少なくとも１つに対して保護される。
【００２９】
壁１１４は、ストラップともよばれる、平坦なテープまたは条片として構築される。壁１１４の長さ（Ｌ）は、両端部１１６，１１８間に延在する縦糸方向によって規定される。壁１１４は、ケーブル１２の周りに周方向に巻き付けられるのではなく、上述されたように、絶縁シース２８の一部の除去を介するなどして、ケーブル１２の遮蔽部３０と、導電性の接線方向または実質的に接線方向の当接部（壁１１４が壁の一部の周りに部分的に延在し得ることを意味するが、ケーブル１２と接線関係になり、巻き付けられた関係にはないことが認識され得る）へ配置されるように構成される。示されるように、複数の電気部材１２は、互いに横方向に離間された平行な関係で延在する。ストラップ１１０は、戦略的には、露出した遮蔽部３０を橋渡しするように配置されて、複数の横方向に離間された電気部材１２を互いに電気的に連通させて複数の電気部材１２間で共通の電位を確立する。電気部材１２は、例示であって限定ではないが、上述されたように、電気部材１２の対向側部上で壁１１４を貫通して穴を開け、その後固定具３２をそれ自体に締め上げて電気部材１２を当接した接線関係にするように、および／または、壁１１４の一部の周りに固定具１３２で部分的に巻き付けられた（図３Ｃ）構成にすることを介して、タイラップ３２などの別個の固定具でインターレースされた壁１１４に固定されてもよい。固定具１３２を締め上げる結果として、壁１１４の一部は、複数の電気部材１２の周りの弓形経路の周りに曲げられ得る。壁１１４の残りの部分は、互いに同一平面または実質的に同一平面関係で延在して橋渡し部分４０を形成する。さらに、壁１１４は、壁１１４を通って配置される固定具３２’を介して接地源１２６に固定され得、固定具に固定される。
【００３０】
言うまでもなく、上記の教示を照らせば、本発明の多くの修正および変形が可能である。したがって、添付の請求項の範囲内で、本発明は特定的に説明された以外の態様で実施され得ることが理解されるべきである。すべての請求項およびすべての実施形態のすべての構成は、そのような組み合わせが互いに矛盾しない限り、互いに組み合わされ得ることが考えられる。
【図１Ａ】
2020502747.tif 000003
【図１Ｂ】
2020502747.tif 000004
【図１Ｃ】
2020502747.tif 000005
【図１Ｄ】
2020502747.tif 000006
【図１Ｅ】
2020502747.tif 000007
【図２】
2020502747.tif 000008
【図３Ａ】
2020502747.tif 000009
【図３Ｂ】
2020502747.tif 000010
【図３Ｃ】
2020502747.tif 000011
【国際調査報告】
2020502747.tif 000012
2020502747.tif 000013